(57)【要約】【課題】外部電線の差し込み方向でねじ止めできるようにして、外部電線の先端部が無理に曲げられるのを防止して確実に結線できるようにした結線装置の提供を図る。【解決手段】端子板１２を外方開放面７ａ（カバー３の表面）に対して傾斜させたので、外部アース線Ｅの先端部を曲げること無くスムーズに挿入して端子板１２にねじ１３止めできるようになり、外部アース線Ｅの先端部に無理な曲げ力が作用しないため、その外部アース線Ｅをより容易にかつより確実にねじ１３止めすることができる。【選択図】図５
2007172889.tif 000002
【特許請求の範囲】
【請求項１】
電気機器の外郭を成し接続しようとする外部電線を挿入する電線挿入口を形成した器体と、当該器体の内部に収納され内部電線を接続するベース部と、当該ベース部に設けられ前記電線挿入口の外方開放面よりも器体内に下がった位置に設けられて挿入した外部電線に接触する端子板と、当該端子板に螺合されて前記外部電線を端子板に固定するねじと、を備えた結線装置において、
前記端子板を前記器体の外表面の一般部に対して傾斜させたことを特徴とする結線装置。
【請求項２】
電気機器の外郭を成し接続しようとする外部電線を挿入する電線挿入口を形成した器体と、当該器体の内部に収納され内部電線を接続するベース部と、当該ベース部に設けられ前記電線挿入口の外方開放面よりも器体内に下がった位置に設けられて挿入した外部電線に接触する端子板と、当該端子板に螺合されて前記外部電線を端子板に固定するねじと、を備えた結線装置において、
前記端子板を、前記電線挿入口の外方開放面近傍に位置するようにベース部から持ち上げて形成したことを特徴とする結線装置。
【請求項３】
前記端子板の先端部に、前記電線挿入口から突出して器体のフレームに接触する延設部を設けたことを特徴とする請求項１または２に記載の結線装置。
【発明の詳細な説明】
【技術分野】
【０００１】
本発明は、電気機器の内部電線に外方から挿入した外部電線を接続する結線装置に関する。
【背景技術】
【０００２】
従来の壁付け式のコンセントとして、電源用の一対の栓刃挿入孔および接地極用の栓刃挿入孔が１組として設けられるとともに、コンセント内には接地された内部アース（内部電線）が接続されたアースターミナルが設けられ、このアースターミナルに外部アース線となる外部電線（接地線）が結線されるものが知られている。かかるコンセントでは、アースターミナルがコンセントのカバー前面に設けた凹所内に設けられており、その凹所に差し込んだ前記外部電線をアースターミナルの端子板にねじ止めするようになっている（例えば、特許文献１参照）。
【特許文献１】特開平９−１４７９９２号公報（第３頁、図１、図３）
【発明の開示】
【発明が解決しようとする課題】
【０００３】
上記従来のアースターミナルでは、外部アース線の外部電線を端子板にねじ止めするにあたって、その外部電線を内側に向けて傾斜する凹所の側壁に沿わせて挿入した後、カバー前面と平行となった端子板（押さえ板）にねじ止めされることになる。
【０００４】
この場合、外部電線の先端部には、ねじの外周を挟むようにして差し込むＵ字状の平型圧着端子が設けられており、前記外部電線をアースターミナルに結線する際には、その外部電線を凹所の側壁に沿って一旦傾斜させた後、その先端部を端子板に沿った方向に折曲してねじ止めすることになる。
【０００５】
このため、前記外部電線は先端部の平型圧着端子を無理に曲げるようにしてねじで挟み込む必要があり、この時に平型圧着端子を曲げた際のばね力でねじ止めが不完全になりやすく、ひいては、接触不良の原因になってしまうおそれがあった。
【０００６】
そこで、本発明は、外部電線の差し込み方向でねじ止めできるようにして、外部電線の先端部が無理に曲げられるのを抑制して、より確実な結線を可能とする結線装置を得ることを目的とするものである。
【課題を解決するための手段】
【０００７】
請求項１の発明にあっては、電気機器の外郭を成し接続しようとする外部電線を挿入する電線挿入口を形成した器体と、当該器体の内部に収納され内部電線を接続するベース部と、当該ベース部に設けられ上記電線挿入口の外方開放面よりも器体内に下がった位置に設けられて挿入した外部電線に接触する端子板と、当該端子板に螺合されて上記外部電線を端子板に固定するねじと、を備えた結線装置において、上記端子板を上記器体の外表面の一般部に対して傾斜させたことを特徴とする。
【０００８】
請求項２の発明にあっては、電気機器の外郭を成し接続しようとする外部電線を挿入する電線挿入口を形成した器体と、当該器体の内部に収納され内部電線を接続するベース部と、当該ベース部に設けられ上記電線挿入口の外方開放面よりも器体内に下がった位置に設けられて挿入した外部電線に接触する端子板と、当該端子板に螺合されて上記外部電線を端子板に固定するねじと、を備えた結線装置において、上記端子板を、上記電線挿入口の外方開放面近傍に位置するようにベース部から持ち上げて形成したことを特徴とする。
【０００９】
請求項３の発明にあっては、請求項１または２の発明において、上記端子板の先端部に、上記電線挿入口から突出して器体のフレームに接触する延設部を設けたことを特徴とする。
【発明の効果】
【００１０】
請求項１の発明によれば、上記端子板を上記器体の外表面の一般部に対して傾斜させて配置したため、電線挿入口から挿入した外部電線を、当該端子板に沿って斜めに挿入するのみで、その先端部を曲げること無くスムーズに挿入してねじ止めすることができる。このため、外部電線の先端部に無理な曲げ力が作用せず、より容易にかつより確実にねじ止めできるようになる。
【００１１】
請求項２の発明によれば、上記端子板を上記ベース部から持ち上げるようにして電線挿入口の外方開放面近傍に配置したので、電線挿入口から挿入した外部電線を電線挿入口の外方開放面に沿って挿入するのみで端子板に略沿わせることができて、先端部を曲げること無くねじ止めすることができる。このため、外部電線の先端部に無理な曲げ力が作用せず、より容易にかつより確実にねじ止めできるようになる。
【００１２】
請求項３の発明によれば、請求項１および２の効果に加えて、上記端子板の先端部に設けた延設部を上記電線挿入口から突出させて器体のフレームに接触させたので、フレームの電位をグラウンドレベルに維持することができる。
【発明を実施するための最良の形態】
【００１３】
以下、本発明の実施形態について図面を参照しつつ詳細に説明する。
【００１４】
（第１実施形態）図１〜図５は、本発明にかかる結線装置の第１実施形態を示し、図１は、本発明の結線装置を備えたコンセントの要部斜視図、図２は、コンセントの結線装置およびその収納部分を図１中α方向から見た分解斜視図、図３は、結線装置の要部を図１中β方向から見た分解斜視図、図４は、結線装置の要部の組み付け状態を示す斜視図、図５は、図１中Ａ−Ａ線に沿った要部の拡大断面図である。
【００１５】
本実施形態では、図１に示すように、結線装置としてのアースターミナル１０を内蔵した電気機器としてのコンセント１について例示する。
【００１６】
このコンセント１は、壁面への埋込式となったもので、その外郭を成す合成樹脂製のボディ２（図２参照）とカバー３とを金属製のフレーム４により結合して、全体的に直方体状に構成される器体５を備え、フレーム４によってコンセント１を壁面に形成された埋込ボックス等に取り付けるようになっている。
【００１７】
カバー３には、一対の栓刃差込口６ａ，６ｂと接地極栓刃差込口６ｃとからなる１組のプラグ差込口６が設けられるとともに、外部電線としての外部アース線Ｅ（図１参照）を挿入する電線挿入口７が形成されており、その電線挿入口７に対応する器体５内部には外部アース線Ｅを接続するアースターミナル１０（図４参照）が収納される。
【００１８】
アースターミナル１０は、図２〜図４に示すように、内部電線としての内部アース線を接続するベース部１１と、このベース部１１に設けられて電線挿入口７から挿入した外部アース線Ｅに接触する端子板１２と、この端子板１２に螺合されて外部アース線Ｅを端子板１２に固定するねじ１３と、を備えて構成される。
【００１９】
ベース部１１は、図２，図３に示すように、Ｕ字状に折曲した錠ばね１４と、この錠ばね１４の自由端１４ａに対向する内部端子板１５と、これら錠ばね１４の自由端１４ａと内部端子板１５との間の間隔を広げる解除レバー１６と、からなる内部アース結線部１７を、左右に一対備えている。ここでは、錠ばね１４および端子板１５の上端部が互いに連結され、かつ、左右の内部アース結線部１７が連結部１８を介して連結されている。
【００２０】
そして、錠ばね１４の自由端１４ａと内部端子板１５との間に図外の内部アース線を挟持するとともに、当該内部アース線の脱着時には、解除レバー１６を押し込んで錠ばね１４の自由端１４ａと内部端子板１５との間の間隔を広げるようになっている。
【００２１】
端子板１２は、ベース部１１の連結部１８から切り起こして全体的に平坦状に形成されるとともに、その中央部に形成したねじ穴１２ａにねじ１３を螺合するようになっている。なお、端子板１２とねじ１３の頭部１３ａとの間には座金１９が介装されている。
【００２２】
そして、電線挿入口７から挿入した外部アース線Ｅを端子板１２と座金１９の間に挟んでねじ１３を締め付けることにより、外部アース線Ｅを端子板１２に固定できるようになっている。このとき、外部アース線Ｅの先端部にはＵ字状の平型圧着端子Ｅｔが結合されており、その平型圧着端子ＥｔのＵ字状部分でねじ１３を挟むように嵌合される。
【００２３】
また、図２に示すように、カバー３に形成した電線挿入口７の外方開放面７ａは、アース扉８によって開閉自在に覆ってある。端子板１２は、電線挿入口７の外方開放面７ａよりも器体５内側に下がった位置に設けられており、締結部分をアース扉８によって被覆できるようにしてある。
【００２４】
ここで、本実施形態では、図５に示すように、端子板１２を、電線挿入口７から挿入する外部アース線Ｅの挿入方向に沿わせるべく、カバー３の外表面の一般部３ａ（外方開放面７ａ）に対して傾斜配置してある。
【００２５】
つまり、端子板１２は、ベース部１１の連結部１８の器体５端部方向を切り起こして、その切り起こした側を自由端部として所定の角度（図中θ）をもって持ち上げてある。もちろん、このように端子板１２を傾斜させたことにより、その端子板１２に螺合されるねじ１３も端子板１２の面直方向に傾斜される。
【００２６】
また、本実施形態では、端子板１２の先端部に、電線挿入口７から突出して器体５のフレーム４に接触する延設部２０を設けてある。
【００２７】
つまり、延設部２０は、図５に示すように、端子板１２の先端部から電線挿入口７の周縁を乗り越えてカバー３の外側に沿って配置されるように折曲し、その先端をフレーム４に接触させてある。
【００２８】
以上の構成により、本実施形態のアースターミナル１０によれば、電線挿入口７から挿入した外部アース線Ｅを端子板１２にねじ１３止めする際に、その端子板１２が外方開放面７ａに対して傾斜配置されているため、外部アース線Ｅの先端部に結合したＵ字状の平型圧着端子Ｅｔを無理に曲げること無くスムーズに挿入し、当該平型圧着端子ＥｔのＵ字状部分をねじ１３に嵌合して止めすることができる。このため、外部アース線Ｅの先端部には無理な曲げ力が作用しないため、その外部アース線Ｅをより容易にかつより確実にねじ１３止めすることができる。
【００２９】
また、端子板１２の先端部に設けた延設部２０を電線挿入口７から突出させて器体５のフレーム４に接触させ、当該フレーム４をアース接続するようにしたため、何らかの不測の事態が生じたとしても、フレーム４の電位をグラウンドレベルに維持することができる。
【００３０】
（第２実施形態）図６，図７は、本発明の第２実施形態を示しており、第１実施形態と同一構成部分に同一符号を付して重複する説明を省略して述べるものとする。図６は、結線装置の要部を示す分解斜視図、図７は、図１中Ａ−Ａ線に対応した要部の拡大断面図である。
【００３１】
本実施形態の結線装置としてのアースターミナル１０Ａは、基本的に第１実施形態と同様の構成を備えている。すなわち、図６，図７に示すように、内部アース線を接続するベース部１１と、このベース部１１に設けられて電線挿入口７から挿入した外部アース線Ｅに接触する端子板１２と、この端子板１２に螺合されて外部アース線Ｅを端子板１２に固定するねじ１３と、を備えて構成される。
【００３２】
なお、本実施形態のベース部１１の錠ばね１４は、図６に示すように、ばね部１４ｂとこのばね部１４ｂの保持部１４ｃとが分離形成されているが、図７に示すように、これらばね部１４ｂと保持部１４ｃとを結合することにより、第１実施形態と同様に、図外の内部アース線を挟持できるようになっている。
【００３３】
ただし、本実施形態では、端子板１２を、電線挿入口７の外方開放面７ａ近傍に位置するようにベース部１１から所定量Ｈだけ持ち上げてある。
【００３４】
また、本実施形態にあっても第１実施形態と同様に端子板１２の先端部に、電線挿入口７から突出して器体５のフレーム４（図１参照）に接触する延設部２０Ａを設けてある。
【００３５】
以上の構成により、本実施形態のアースターミナル１０Ａによれば、端子板１２をベース部１１から持ち上げて電線挿入口７の外方開放面７ａ近傍に位置するようにしたので、電線挿入口７から挿入した外部アース線Ｅを電線挿入口７の外方開放面７ａに沿って（つまりカバー３の表面に沿った方向に）挿入することで、必然的に外部アース線Ｅは端子板１２に略沿った方向となる。
【００３６】
したがって、外部アース線Ｅは先端部を曲げること無くスムーズに挿入できるようになり、このため、外部アース線Ｅの先端部には無理な曲げ力が作用せず、外部アース線Ｅをより容易にかつより確実にねじ１３止めすることができる。
【００３７】
また、本実施形態にあっても、端子板１２の先端部に、電線挿入口７から突出して器体５のフレーム４に接触する延設部２０Ａを設けて、当該フレーム４をアース接続するようにしたため、何らかの不測の事態が生じたとしても、フレーム４の電位をグラウンドレベルに維持することができる。
【００３８】
また、本実施形態では、端子板１２をベース部１１から所定量Ｈだけ持ち上げたので、端子板１２が解除レバー１６に干渉するのを防止できるようになる。このため、図６に示すように、端子板１２の両側を拡幅（拡幅部１２ｂ）して、当該端子板１２の面積を拡大できるようになり、外部アース線Ｅの先端部をより一層安定的に固定できるようになる。さらに、端子板１２の持ち上げによって、ねじ１３の先端方向のスペースを確保でき、その分、より長いねじ１３も使用できるようになる。
【００３９】
以上、本発明の結線装置を、上記第１、第２実施形態に例をとって説明したが、本発明は、これら実施形態に限ることなく、要旨を逸脱しない範囲で他の実施形態を各種採用することができる。例えば、上記実施形態では、コンセント用のアースターミナルに適用した場合を例示したが、これに限ることなくスイッチ等の他の電気機器のアースターミナルにあっても同様に適用することができ、さらには、アースターミナルに限ることなく通常の電線を結線する結線装置にあっても適用することができる。
【図面の簡単な説明】
【００４０】
【図１】本発明の第１実施形態における結線装置を備えたコンセントの要部斜視図である。
【図２】本発明の第１実施形態におけるコンセントの結線装置およびその収納部分を図１中α方向から見た分解斜視図である。
【図３】本発明の第１実施形態における結線装置の要部を図１中β方向から見た分解斜視図である。
【図４】本発明の第１実施形態における結線装置の要部の組み付け状態を示す斜視図である。
【図５】図１中Ａ−Ａ線に沿った要部の拡大断面図である。
【図６】本発明の第２実施形態における結線装置の要部を示す分解斜視図である。
【図７】図１中Ａ−Ａ線に対応した要部の拡大断面図である。
【符号の説明】
【００４１】
１  コンセント（電気機器）
２  ボディ（器体）
３  カバー（器体）
３ａ  外表面の一般部
４  フレーム
５  器体
７  電線挿入口
７ａ  外方開放面
１０  アースターミナル（結線装置）
１１  ベース部
１２  端子板
１３  ねじ
２０，２０Ａ  延設部
Ｅ  外部アース線（電線）
【図１】
2007172889.tif 000003
【図２】
2007172889.tif 000004
【図３】
2007172889.tif 000005
【図４】
2007172889.tif 000006
【図５】
2007172889.tif 000007
【図６】
2007172889.tif 000008
【図７】
2007172889.tif 000009